(57)【要約】【課題】机上を明るくすらすタスクライトを備えて照明装置において、安定性と強度とを保持しつつ、どこにでも設置できる融通性を確保せしめる。【解決手段】照明装置は、床に載るベース板４を有する左右の支柱１と横長のタスクライト３とを有している。タスクライト３は金属製の本体３５を有しており、本体３５が左右の支柱１に高さ調節可能に連結されている。照明装置は床置き式であるためどこにでも設置できる。かつ、タスクライト３が強度メンバーとして機能するため、他に横桟のような補強部材を設けることなく高い安定性・強度を確保できる。【選択図】図１
2014071967.tif 000002
【特許請求の範囲】
【請求項１】
下端にベース体を設けていて床に自立する左右の支柱と、横長の本体に光を下向き照射する発光体が設けられたタスクライトとを備えており、前記タスクライトで前記左右支柱を連結している、
照明装置。
【請求項２】
前記左右支柱には当該左右支柱を挟持するクランプ式のブラケットが高さ調節可能に取り付けられており、前記タスクライトを前記ブラケットに固定している、
請求項１に記載した照明装置。
【請求項３】
前記タスクライトの本体は下向きに開口した溝型に形成されており、その内部に前記発光体としてのＬＥＤランプが飛び飛びの状態で多数配置されている、
請求項１又は２に記載した照明装置。
【発明の詳細な説明】
【技術分野】
【０００１】
本願発明は、机とセットで使用するのに好適な照明装置に関するものである。
【背景技術】
【０００２】
オフィスの照明は一般に天井に配置した灯具で行われており、特定の机上を明るく照らしたい場合は電気スタンドを使用している。天井の照明は非常に明るいのが一般的であり、天井照明用の電力費用はオフィスの経費の相当の割合を占めることが多い。
【０００３】
他方、人は暗さや明るさに馴れるという性質であり、部屋全体が多少は薄暗くても執務には影響しないことも多い。この点に着目して本願出願人は、特許文献１，２において、光を上向きに照射するアンビエント照明灯具と机上面を照らするタスクライトとを併有した照明装置を開示した。
【先行技術文献】
【特許文献】
【０００４】
【特許文献１】特開２０１１−１２４９６８公報
【特許文献２】特開２０１２−１６１４０７号公報
【発明の概要】
【発明が解決しようとする課題】
【０００５】
特許文献１，２の照明装置は机に固定しているため安定性は高いが、任意の場所に設置することはできず、設置場所に関する融通性が低かった。
【０００６】
本願発明はこの先願発明を発展させたものであり、安定性を確保しつつ設置場所の自由性を確保することを目的とするものである。
【課題を解決するための手段】
【０００７】
前記目的を達成すべく、本願発明者は各請求項で代表される発明を完成させた。このうち請求項１の発明は、下端にベース体を設けていて床に自立する左右の支柱と、横長の本体に光を下向き照射する発光体が設けられたタスクライトとを備えており、前記タスクライトで前記左右支柱を連結している。
【０００８】
請求項２の発明は、請求項１において、前記左右支柱には当該左右支柱を挟持するクランプ式のブラケットが高さ調節可能に取り付けられており、前記タスクライトを前記ブラケットに固定している。
【０００９】
請求項３の発明は、請求項１又は２において、前記タスクライトの本体は下向きに開口した溝型に形成されており、その内部に前記発光体としてのＬＥＤランプが飛び飛びの状態で多数配置されている。
【発明の効果】
【００１０】
本願発明は、支柱の下端にベース体を設けたことにより、任意の場所に設置できる。このため必要に応じてタスクライトを使用することができて、重宝である。しかも、左右の支柱がタスクライトによって連結されていることにより、タスクライト自身（正確にはタスクライトを構成する本体）が照明装置の強度メンバーとして機能しているため、補強用の横桟を設ける必要はなく、このため構造を複雑化することなく強度を確保できる。
【００１１】
机上での作業はパソコン操作や筆記など様々であり、机上に様々な危惧や装置類を載置することも多い。この点、請求項２では、机上に必要な明るさや机上に載置した物品の高さ等に応じてタスクライトの高さを調節できるため、融通性が高くて好適である。この場合、支柱とタスクライトとを連結するブラケットを前後（又は左右）に分割した２つのパーツで構成すると、支柱の上端に他の灯具等が取り付けられていてもタスクライトを取り付け・取り外しができるため、特に好適である。
【００１２】
タスクライトを構成する本体は単なる板状の構成とすることも可能であるが、請求項３のように下向きに開口した溝型に構成すると、上下方向の曲げに対する高い強度を確保を確保しつつ溝の内部にＬＥＤランプを配置できるため、ＬＥＤランプの光が直接人の目に触れることを防止しつつ高い安定性を確保できる利点がある。また、請求項３のようにタスクライトの本体を下向き開口の溝型に構成すると、本体の開口縁に光拡散機能等を備えた透光板を配置できる利点もある。
【図面の簡単な説明】
【００１３】
【図１】第１実施形態の全体斜視図である。
【図２】天ブラケットと支柱と電源装置との分離斜視図である。
【図３】（Ａ）は部分的な平面図、（Ｂ）は（Ａ）のＢ−Ｂ視断面図、（Ｃ）は（Ａ）のＣ−Ｃ視断面図、（Ｄ）は（Ｂ）のＤ−Ｄ視断面図である。
【図４】（Ａ）は上向き照明灯具の平面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【図５】タスクライトの支持構造を示す図で、（Ａ）は部分正面図、（Ｂ）は（Ａ）のＢ−Ｂ視断面図、（Ｃ）は（Ａ）のＣ−Ｃ視断面図である。
【図６】照明装置の下部を示す図で、（Ａ）は縦断正面図、（Ｂ）は（Ａ）のＢ−Ｂ視図である。
【図７】上向き照明灯具の取り付け手段の別例を示す図で、（Ａ）は平面図、（Ｂ）は分離平面図、（Ｃ）は（Ａ）のＣ−Ｃ視断面図である。
【図８】タスクライトの使用例を示す正面図である。
【図９】（Ａ）は第２実施形態の平面図、（Ｂ）は第２実施形態の正面図、（Ｃ）は第３実施形態の平面図、（Ｄ）は第３実施形態の正面図である。
【発明を実施するための形態】
【００１４】
(1).第１実施形態の概要・上向き照明灯具
次に、本願発明の実施形態を図面に基づいて説明する。まず、図１〜図６に示す第１実施形態を説明する。照明装置は床に自立させる方式であり、左右２本の支柱１と、両方又は片方の支柱１の上端に設けた上部灯具２と、左右支柱１をその上下中途高さ位置において連結する横長（水平状）のロアタスクライト３とを備えている。上部灯具２には上向き照明灯具が包含されている。本実施形態では、ロアタスクライト３が請求項に記載したタスクライトに相当する。
【００１５】
支柱１の下端にはベース板４が固定されており、このため床上に自立状態に保持される。本実施形態の照明装置は机５とセットで使用できるようになっており、左右の支柱１で机５を左右両側から挟むようにして配置できる。ベース板４は机１及びワゴン６の下方に入り込んでいる。本実施形態では方向を特定するため「前後」「左右」の文言を使用するが、これは、机５に配置した状態を基準にしている。
【００１６】
図１に示すように、ベース板４は、相対向する支柱１の方向に向いて開口した平面視コ字形に形成しているが単なる四角形とすることも可能である。また、ベース板４の端部に支柱１を立設しているが、支柱１をベース板４の中央部に立設することも可能である。
【００１７】
図２に示すように、支柱１は概ね角形に近い中空の押し出し加工品であり、前後の外面には凹部７が形成されて、内部のうち各コーナーの近傍には前後に開口した溝付き突条８が形成されている。そして、上部灯具２が天ブラケット９を介して支柱１の上端に取り付けられている。
【００１８】
図１や図４（Ａ）に示すように、上部灯具２は上下に開口した本体枠１０を備えており、本体枠１０が上部灯具２の外観を構成している。本体枠１０は机の長手方向（左右方向）に長い長方形になっており、図４（Ｂ）（Ｃ）に示すように、基本的には上に行くに従って幅が大きくなる断面Ｖ形であり、上端寄りに上板１１を設けることで中空構造になっていると共に、上板１１の上側の部分は逆台形の上向き開口溝１２になっている。従って、断面逆Ａ型になっている。
【００１９】
また、本体枠１０の内周面１０ａと外周面１０ｂとの両方が鉛直線に対して外側に傾いているが、外周面１０ｂの傾きが内周面１０ａの傾きより大きくなっている。なお、本体枠１０は、例えばアルミ等の金属の押し出し品を曲げ加工して製造しているが、樹脂を材料にしたブロー成形で製造することも可能である。金属の押し出し品を使用すると、強度と放熱性とに優れている利点がある。
【００２０】
そして、図４（Ｃ）のとおり、本体枠１０における前後長辺部の上向き開口溝１２に帯状の回路基板１３を配置し、回路基板１３の上面にＬＥＤランプ１４を飛び飛びで多数搭載している。従って、上向き開口溝１２にＬＥＤランプ１４を設けることで上向き照明灯具（アンビエント照明）２が構成されている。
【００２１】
上向き開口溝１２の内外の開口縁には段部１５が形成されており、段部１５に透光板１６を重ね保持している。段部１５は全周に亙って形成されており、透光板１６も略全周に亙って配置されている。透光板１６は単なる透明板や乳白色等の色付き板でもよいし、或いは、光の拡散（散乱）機能を備えてものであってもよい。透光板１６はビス１７で本体枠１０に固定されている。
【００２２】
図２に示すように、天ブラケット９は、支柱１の上端面に重なる天板９ａと、支柱１の内部に嵌入する中空状の足部９ｂと、本体枠１０の１つの短辺部を支持する鉤状アーム部９ｃとを有している。足部９ｂは支柱１の溝付き突条８を逃げるように十字状になっており、天板９ａのうち足部９ｂの外側の各コーナー部にビス２０を上方から挿入し、ビス２０を支柱１の溝付き突条８にねじ込んでいる。なお、図３（Ｃ）では、正確には溝付き突条８の箇所は断面が表示されるべきであるが、図面が煩雑なるため、便宜的に溝付き突条８は外観を表示している。
【００２３】
天ブラケット９は支柱１と略同じ前後幅であり、図３（Ｂ）（Ｃ）に示すように、上部灯具２における本体枠１０の１つの短辺部を鉤状アーム部１０ｃで下から支持して、外側から挿通したビス２１で本体枠１０を鉤状アーム部１０ｃに固定している。この場合、本体枠１０の内側部を部分的に切欠いて一点鎖線で示す金属製当て板２２を内部に入れて、当て板２２に対してビス２１をねじ込むことも可能である。このように当て板２２を使用すると、固定強度を格段に向上できる。
【００２４】
図４のとおり、上部灯具２を構成する本体枠１０には、前後中間位置において空間を横切って延びる金属製のステー２３を上から重ね配置し、ステー２３の下面にアッパータスクライト２５が配置されている。
【００２５】
アッパータスクライト２４は、ステー２３の下面に固定されたケース２４ａを備えており、ケース２４ａは、ねじ（ビス又はビストとナット）２４ｂでステー２３に固定されている。また、ケース２４ａの内底面に回路基板２４ｃを固定して、回路基板２４ｃの下面にＬＥＤランプ１４′を飛び飛びで手数搭載している。ケース２４ａの下端開口縁には内向きフランジ２４ｄが形成されており、この内向きフランジ２４ｄを利用して樹脂製の透光板２４ｅを装着している。ケース２４ａはアルミ等の金属板製であり、このため放熱性に優れている（もちろん、ケースを樹脂製とすることも可能である。）。ステー２３のうち支柱１に近い端部には、支柱１から引き出されたケーブル３１を回路基板２４ｃに引き込むための穴２４ｆを空けている。
【００２６】
ステー２３の両端のうち支柱１に近い一端部２３ａは斜め上向きに折り曲げられていて、本体枠１０の短辺部の内側面にねじ２５（図３（Ｃ）参照）で固定されており、他方、支柱１と反対側の他側部２３ｂは本体枠１０の他方の短辺部の上向き開口溝１２に上から嵌まっており、ビス２５で本体枠１０に固定されている。従って、透光板１６はエンド部２３ｃの箇所で切除されている。
【００２７】
アッパータスクライト２４は例えば複数列配置したり、十字状に配置したり、平面視円形や多角形に形成したり、片持ち梁状に配置したりすることができる。本体枠は、円形や中空角形、三角形、楕円形などの様々な断面形状に設定できる。
【００２８】
(2).電源装置・ロアタスクライト・下端の構成
図２，３に示すように、支柱１の内部のうちその上部に、上部灯具２及びロアタスクライト３に給電するための電源装置２６が内蔵されている。電源装置２６は、天ブラケット９の足部９ｂに吊り下げる状態で固定された基板２７と、基板２７の片面に固定された降圧・整流回路部と、降圧・整流回路部を覆うカバー板２８とを有している。基板２７の上端部は天ブラケット９の足部９ｂの前内面に重なっており、皿ビス２９で足部９ｂに固定されている。図３ではカバー板２８を手前に表示しているが、実際には、カバー板２８は後ろ向きになる。皿ビス２９を後ろから足部９ｂに挿入したら、カバー板２８が手間に位置する。
【００２９】
基板２７の下部にはアース端子３０を設けている。または、カバー板２８の上端から２本の電源ケーブル３１が露出しており、電源ケーブル３１は、図３に示すように、天ブラケット９に設けた中心穴３２と配線溝３３を通って本体枠１０の前後の回路基板１３に引き出されている。
【００３０】
ロアタスクライト３は下向きに開口した樋状の本体（ケース）３５を有しており、本体３５の内底面に帯状の回路基板３６を固定し、回路基板３６の下面にＬＥＤランプ３７を飛び飛びの状態で多数搭載している。本体３５の前後開口縁に段部３８を形成し、透光板３９を段部３８に嵌め込んでビス等で本体３５に固定している。ロアタスクライト３がある程度以上の高さになると人の目に光が入ることがあるので、透光板３９は光の拡散機能を備えたものが好ましいと言える。
【００３１】
本体３５は、強度の点からはアルミ等の金属材料を使用した押し出し加工品又は板金製品を採用するのが好ましい。ロアタスクライト３を図４（Ｄ）のアッパータスクライト２５と同じ構造に構成してもよい（こうすると、部材を兼用してコストを抑制できる。）。また、本体３５には上下方向の荷重に対する曲げ強度を高めるため、リブ等の補強手段を設けることも可能である。
【００３２】
ロアタスクライト３の本体３５は、中間ブラケット４０を介して支柱１に固定されている。中間ブラケット４０は請求項に記載したブラケットに相当しており、支柱１の前半分に手前から重なるフロントパーツ４１と、支柱１の後ろ半分に後ろから嵌まるリアパーツ４２とを備えており、両者の左右に設けた張り出部４３をビス４４で互いに引き寄せることにより、中間ブラケット４０は支柱１をしっかりと抱持して（クランプして）おり、これにより落下不能に保持される。
【００３３】
中間ブラケット４０のコーナー部には、支柱１の前面及び後面に重なる軟質材（ゴム）４５を設けている。このため、中間ブラケット４０のずり落ちを確実に防止できると共に、ビス４４をある程度緩めると、落下することなく上下動させ得る（従って、ロアタスクライト３の左右長さが長くても一人で高さ調節できる。）。
【００３４】
中間ブラケット４０を構成する前後パーツ４１には内向きの支持部４６が形成されており、支持部４６に下方から挿通したビス４６ｂ（図５（Ｂ）参照）により、ロアタスクライト３の本体３５がスペーサ４７を介して固定されている。この場合、支持部４６のねじ挿入穴４６ａを前後長手の長穴とすることにより、前後パーツ４１，４２の前後間隔が変化しても本体３５の固定に支障がないように配慮している。なお、中間ブラケット４０を上下にひっくり返した状態で使用することも可能であり、この場合はスペーサ４７は不要である。
【００３５】
ロアタスクライト３に対する電源ケーブル３１は支柱１の内部に配置しており、支柱１の内側板に設けた穴からロアタスクライト３の内部に引き出される。そして、ロアタスクライト３を高さ調節可能な状態でケーブル３１の引出しを容易ならしめる手段としては、例えば、支柱１のケーブル引出し穴を上下に長い長穴に形成したり、ケーブル引出し穴を上下多段に形成したりしたらよい。もとより、上下動エリアの上又は下にケーブル引出し穴を設けて、ケーブルを若干露出させてもよい。
【００３６】
図６に示すように、床Ｆに接地するベース板４には支柱１の前内面と後ろ内面とに重なる２本の起立部４８が固定されており、前後の起立部４８がそれぞれ支柱１の前板と後ろ板とにビス４８ａで固定されている。また、支柱１の下端部には整流・降圧前の電源ケーブル４９を支柱１の内部に出し入れするための配線口５０が空いており、配線口５０には樹脂製の保護エッジ５１が装着されている。
【００３７】
机５を構成する脚５２はアジャスタボルト５３で支持されており、また、ワゴン６はキャスタ５３で支持されている。従って、机５の脚５２と床Ｆとの間には、ベース板４４が十分な余裕で入る隙間が空いている。このため、支柱１は任意の置に配置できる。なお、実施形態のベース板４は左右方向に長いが、机５の脚５２が載るように前後方向に長く延びる形態として、机５２を重しに利用することも可能である。また、ベース板４をねじ式アンカー等で床Ｆに固定してもよい。
【００３８】
実施形態のようにベース板４をコ字形に形成すると、ベース板４を、机のアジャスタ５３やワゴン５のキャスタ５３を囲う状態に配置できるため、照明装置の配置位置の融通性を一層向上できる利点がある。
【００３９】
(3).まとめ
本実施形態は以上の構成であり、照明装置は床Ｆに自立させる方式であるため、机５には特段の加工は不要であり、このため、任意の場所に設置できて融通性に優れている。かつ、左右の支柱１はロアタスクライト３の本体３５で連結されているため、自立式でありながら高い安定性を確保できる。
【００４０】
なお、机５は左右横幅の相違するものが何種類か存在しているが、ロアタスクライト３の長さを机の左右横幅に対応して複数種類用意しておくことにより、支柱１及び上部灯具２は１種類のままで各種の机に対応できる。ロアタスクライト３の左右長さが非常に長い場合は、左右中間部に足体を設けて机上面に当接させてもよい。
【００４１】
上部灯具２は上下に開口した枠状（ループ状）であるため、本体枠１０の前端の平面積は大きくすることなく、長辺部に設けた２つのＬＥＤランプ１４の前後間隔を広げることができる。これにより、ＬＥＤランプ１４による照明エリアを広げて照明効率をアップできる。また、上部灯具２（本体枠１０）が上下に開口した枠状であるため、光は回折して空間の下方に回り込み得る。このため、上部灯具２の下方が暗く影になることを防止又は抑制できる。
【００４２】
本実施形態のように実施形態にアッパータスクライト２５を設けると、机上を少し明るくしたといった場合に、机上を柔らかい光で照らすことができて好適である。この場合、アッパータスクライト２５はアンビエンス照明として機能する上向き照明灯具に組み込んでいるため、別々の構造として支柱１に取り付ける場合に比べて構造を簡単化できる利点がある。
【００４３】
また、天ブラケット９に鉤状アーム部９ｃを設けてこれに本体枠１０を固定すると、本体枠１０をしっかりと保持して固定強度を向上できる。更に、天ブラケット９の上面に配線溝３３を設けると、天ブラケット９の上面にカバーを固定することも可能になって美粧効果を向上できる。
【００４４】
ロアタスクライト３を支持する中間ブラケット４０を前後のパーツ４１，４２で構成すると、支柱１に上部灯具２を設けた状態で取り付けることができるため、取り付け・取り外しの作業が容易になる（左右のパーツに分離してもよい。）。
【００４５】
また、ロアタスクライト３の高さを調節自在であるため、使用者の要望に応じた照明環境を実現できる点でも優れている。更に、左右の支柱１はロアタスクライト３で連結されているため、ロアタスクライト３が左右支柱１の自立性を高める強度メンバーとして機能しており、その結果、床Ｆに自立させるタイプでありながら強度と安定性とに優れている。この点も本実施形態の優れた効果の１つである。
【００４６】
(4).第２実施形態
次に、図７に示す第２実施形態を説明する。本実施形態は上部灯具２の取り付け構造の別例であり、天ブラケット９として金属板を曲げ加工したものを使用している。すなわち、天ブラケット９は、支柱１の上面にビス２０で固定された天板部９ａと、上部灯具２の本体枠１０が固定された傾斜部９ｄとを有している。傾斜部９ｄは本体枠１０の内面の側に重なるが、本体枠１０の内側板を傾斜部９ｄの前後幅の寸法だけ切欠いて、本体枠１０の短辺部の内部に補強金具５５を挿入し、補強金具５５を傾斜部９ｄにビス５６で固定している。
【００４７】
補強金具５５は上面板５５ａと傾斜部とを有していて、本体枠１０の切欠き５７を挟んだ前後両側において本体枠１０の中空部内に入り込んでおり、上面体５５ａがビス５８で本体枠１０の上板１１に固定されている。そして、傾斜部が切欠き５７の箇所で天ブラケット９の傾斜部９ｄに固定されている。第１実施形態でも、このような補強金具５５を使用することが可能である。
【００４８】
図示は省略しているが、本体枠１０の短辺部を天ブラケット９の傾斜部の幅だけ切欠いて、天ブラケット９の傾斜部に、本体枠１０の中空部に嵌入する前後の張り出し部を固定し、張り出し部を本体枠１０にビスで固定してもよい。
【００４９】
(5).第３〜第５実施形態
図８に示す第３実施形態では、ロアタスクライト３を複数の照明エリア６０に分離して、各照明エリア６０に対応してスイッチ６１をロアタスクライト３の本体枠１０に設けている。このため、机上面をきめ細かく照明できる。
【００５０】
図９では上部灯具２の別態様を示している。このうち（Ａ）（Ｂ）に示す第４実施形態では、１つの上部灯具２の左右中間部を支柱１で支持しており、（Ｃ）（Ｄ）に示す第５実施形態では、１本の支柱１の状態に左右２つの上部灯具２を取り付けている。第４実施形態では、左右中間部において空間を前後方向に横切る支持ブラケット６２が使用されており、第５実施形態では、天板部９ａの左右両側に鉤状傾斜部９ｃを設けた天ブラケット９が使用されている。
【００５１】
上部灯具２に関する他の実施形態とし、上部灯具２を平面視で円形や楕円形に形成して、その中間部に支柱を配置することも可能である。或いは、３つ以上の上部灯具２を平面視で支柱１から放射方向に延びる態様に配置するといったことも可能である。敢えて述べるまでもないが、上部灯具２の長さや大きさは必要に応じて任意に設定できる。左右の支柱１に長さや大きさが異なる上部灯具２を取り付けることも可能である。
【００５２】
(6).その他
本願発明の実施形態を何例か説明したが、本願発明は上記の実施形態の他にも様々に具体化できる。例えば、上下複数段のタスクライトを左右支柱に掛け渡すといったことも可能である。また、本願発明では必ずしも左右支柱１を連結する横桟は必要ないが、横桟を設けることを排除するものではない。
【００５３】
また、照明装置は机上に載せて使用することも可能である。ベース板は支柱の左右両側に開口した平面視Ｈ型に形成するなど、様々の形状を採用できる。
【産業上の利用可能性】
【００５４】
本願発明は実施品を実際に製造できると共に有用性を発揮する。従って、産業上利用できる。
【符号の説明】
【００５５】
１  支柱
２  上部灯具
３  ロアタスクライト
４  ベース板
５  机
６  ワゴン
９  天ブラケット
１０  上向き照明灯具の本体枠
１２  上向き開口溝
１３  回路基板
３５  ロアタスクライトの本体（ケース）
３７  ロアタスクライトのＬＥＤランプ
４０  中間ブラケット
４１  中間ブラケットを構成するパーツ
【図１】
2014071967.tif 000003
【図２】
2014071967.tif 000004
【図３】
2014071967.tif 000005
【図４】
2014071967.tif 000006
【図５】
2014071967.tif 000007
【図６】
2014071967.tif 000008
【図７】
2014071967.tif 000009
【図８】
2014071967.tif 000010
【図９】
2014071967.tif 000011